(57)【特許請求の範囲】
【請求項１】
揮発性物質を含有する被処理物が供給される内部空間を備えた本体部と、内部空間に供給された被処理物を加熱する加熱手段とを備え、
前記本体部は、内部空間に被処理物を供給するための本体供給部と、内部空間から被処理物を排出させるための本体排出部とを備えると共に本体供給部側から本体排出部側に向かって被処理物を搬送可能に構成されており、
前記加熱手段は、本体部における本体排出部よりも本体供給部側の領域に配置され、内部空間における加熱手段に対応する領域である高温領域の温度と、該高温領域内に位置する被処理物の温度とを揮発性物質が揮発する揮発温度以上に上昇させるように構成されている揮発性物質の除去装置であって、
前記内部空間における揮発温度以上になる領域に配置されて該領域から揮発した状態の揮発性物質を内部空間の外側に排出する揮発性物質排出手段と、該揮発性物質排出手段による内部空間からの揮発性物質の排出に伴って内部空間にガスを供給するガス供給部とを更に備えており、
前記揮発性物質排出手段は、内部空間で揮発した揮発性物質を内部空間の外側へ導く導通部と、該導通部に連結されると共に内部空間で揮発した揮発性物質を導通部を介して内部空間の外側へ吸引する吸引手段とを備え、
前記導通部は、被処理物の搬送方向における前記高温領域の全域に亘って配置されると共に、前記高温領域に配置される部分の全体が揮発した状態の揮発性物質と被処理物とを分離するフィルタ材から形成されることを特徴とする揮発性物質の除去装置。
【請求項２】
前記揮発性物質排出手段は、被処理物よりも上方側に配置されることを特徴とする請求項１に記載の揮発性物質の除去装置。
【発明の詳細な説明】
【技術分野】
【０００１】
本発明は、揮発性物質を含有する被処理物を加熱することによって、被処理物から揮発性物質を揮発させて除去する揮発性物質の除去装置、及び、除去方法に関する。
【背景技術】
【０００２】
揮発性の比較的高い揮発性物質（水銀、亜鉛、セレン等の重金属や、これらの重金属を有する塩化物、トルエン、ベンゼン等の有機化合物等）を含有する原料や燃料等を用いて製品の製造が行われる場合がある。例えば、廃棄物（焼却灰、各種の汚泥、廃プラスチック等）の廃棄量の低減を図るべく、斯かる廃棄物がセメント原料として、或いは、セメント製造設備における燃料として利用される場合があり、斯かる廃棄物には、揮発性物質が含有されている場合がある。
【０００３】
揮発性物質を含有する原料や燃料等（以下、被処理物とも記す）を製品の製造等で利用する場合には、被処理物から揮発性物質を除去した上で使用する必要がある。被処理物から揮発性物質を除去する方法としては、被処理物を加熱することで揮発性物質を被処理物から揮発させて除去する方法が知られている。例えば、被処理物が供給される内部空間を備えた筒状の本体部と、内部空間に熱を供給して被処理物を加熱する加熱手段とを備えた加熱装置を用いる方法が知られている。斯かる加熱装置では、被処理物が内部空間を一方向に沿って搬送されつつ加熱されると共に、揮発した状態の揮発性物質が内部空間の外側に排出されるように構成されている。これにより、被処理物から揮発性物質が除去され、揮発性物質の含有量の少ない処理物が得られる（特許文献１参照）。
【先行技術文献】
【特許文献】
【０００４】
【特許文献１】特開２００９−２１３９９９号公報
【発明の概要】
【発明が解決しようとする課題】
【０００５】
しかしながら、特許文献１のような装置の場合、本体部における被処理物の搬送方向下流側の端部よりも搬送方向上流側に加熱手段が配置されているため、内部空間の温度は、内部空間における加熱手段に対応した領域（以下、高温領域とも記す）よりも被処理物の搬送方向下流側の領域（以下、低温領域とも記す）で急激に低下することになる。このため、内部空間における高温領域の温度を揮発性物質が揮発する揮発温度に設定し、高温領域で揮発性物質を揮発させたとしても、揮発した状態の揮発性物質は、低温領域に流入した際に、凝縮（固化、又は、液化）して被処理物に再付着することになる。このため、被処理物からの揮発性物質の除去を効果的に行うことが困難となっている。
【０００６】
これに対し、高温領域の温度を揮発温度よりも高い温度に設定することで、内部空間の温度が低温領域においても揮発温度以上に維持されるようにすることは可能であるが、過剰なエネルギーが必要になるため、好ましくない。また、このような高温に耐えうるような加熱装置の構成が必要になるため、設備が大型化、複雑化してしまい、好ましくない。
【０００７】
本発明は、上記問題点に鑑み、揮発性物質を含有する被処理物から効果的に揮発性物質を除去することが可能な揮発性物質の除去装置及び除去方法を提供することを課題とする。
【課題を解決するための手段】
【０００８】
本発明に係る揮発性物質の除去装置は、揮発性物質を含有する被処理物が供給される内部空間を備えた本体部と、内部空間に供給された被処理物を加熱する加熱手段とを備え、前記本体部は、内部空間に被処理物を供給するための本体供給部と、内部空間から被処理物を排出させるための本体排出部とを備えると共に本体供給部側から本体排出部側に向かって被処理物を搬送可能に構成されており、前記加熱手段は、本体部における本体排出部よりも本体供給部側の領域に配置され、内部空間における加熱手段に対応する領域である高温領域の温度と、該高温領域内に位置する被処理物の温度とを揮発性物質が揮発する揮発温度以上に上昇させるように構成されている揮発性物質の除去装置であって、前記内部空間における揮発温度以上になる領域に配置されて該領域から揮発した状態の揮発性物質を内部空間の外側に排出する揮発性物質排出手段と、該揮発性物質排出手段による内部空間からの揮発性物質の排出に伴って内部空間にガスを供給するガス供給部とを更に備えており、前記揮発性物質排出手段は、内部空間で揮発した揮発性物質を内部空間の外側へ導く導通部と、該導通部に連結されると共に内部空間で揮発した揮発性物質を導通部を介して内部空間の外側へ吸引する吸引手段とを備え、前記導通部は、被処理物の搬送方向における前記高温領域の全域に亘って配置されると共に、前記高温領域に配置される部分の全体が揮発した状態の揮発性物質と被処理物とを分離するフィルタ材から形成されることを特徴とする。
【０００９】
斯かる構成によれば、内部空間における加熱手段に対応する領域（以下、高温領域とも記す）では、該領域の温度及び該領域内に位置する被処理物の温度は、揮発温度以上に上昇する。そして、高温領域において、揮発性物質は、被処理物から揮発すると共に、揮発した状態で維持される。そして、高温領域に配置された揮発性物質排出手段によって、揮発した状態の揮発性物質が高温領域から内部空間の外側に排出される。
【００１０】
ここで、内部空間の温度及び内部空間内の被処理物の温度は、高温領域よりも本体排出部側の領域（以下、低温領域とも記す）では、該領域の温度及び該領域内に位置する被処理物の温度が揮発温度未満に低下する。しかしながら、上記のように、高温領域において揮発性物質が内部空間の外側に排出されているため、低温領域に揮発した状態で移動する揮発性物質の量が低減される。
【００１１】
これにより、揮発した状態の揮発性物質が低温領域において凝縮（固化や液化）して被処理物に、再度付着する量が低減される。このため、被処理物からの揮発性物質の除去を効果的に行うことができ、本体排出部から排出された被処理物（以下、処理物とも記す）中の揮発性物質の含有量を低減することができる。
【００１２】
前記揮発性物質排出手段は、被処理物よりも上方側に配置されることが好ましい。
【００１３】
斯かる構成によれば、被処理物から揮発した揮発性物質は、通常、被処理物よりも上方へ移動するため、被処理物よりも上方側に揮発性物質排出手段が配置されることで、揮発した揮発性物質をより効果的に除去することが可能となる。ここで、「被処理物よりも上方側」とは、内部空間に供給された被処理物のうち、内部空間内を浮遊することなく本体部の供給部側から排出部側に向かって搬送される被処理物よりも上方側であることを意味する。
【発明の効果】
【００１５】
以上のように、本発明によれば、揮発性物質を含有する被処理物から効果的に揮発性物質を除去することが可能となる。
【図面の簡単な説明】
【００１６】
【図１】本発明の一実施形態に係る揮発性物質の除去装置を示した図。
【図２】同実施形態に係る除去装置における揮発性物質分離部、被処理物供給部、及び、処理物回収部を示した断面図。
【図３】（ａ）は、実施例における内部空間の温度変化を示したグラフ、（ｂ）は、実施例における水銀の除去率Ｗの変化を示したグラフ。
【発明を実施するための形態】
【００１７】
以下、本発明に係る揮発性物質の除去装置及び除去方法の実施形態について、図１及び２を参照しつつ説明する。
【００１８】
本実施形態に係る揮発性物質の除去装置（以下、除去装置とも記す）１は、揮発性物質を含有する被処理物を加熱することによって被処理物から揮発性物質を除去するものであり、本実施形態に係る揮発性物質の除去方法において使用されるものである。被処理物としては、特に限定されるものではなく、例えば、揮発性物質を含有する廃棄物（焼却灰、各種の汚泥、廃プラスチック等）や、セメント製造用の個体原料や燃料、セメント製造設備の排ガス処理系統（例えば、キルン排ガス系統に設置されている予熱器、沈降室、スタビライザー、ミル、ドライヤー、集塵器等）で捕集されるダスト（例えば、セメント原料として利用されるもの）等が挙げられる。
【００１９】
除去装置１は、図１に示すように、被処理物を加熱して被処理物から揮発性物質を揮発させると共に被処理物と揮発性物質とを分離する揮発性物質分離部２と、該揮発性物質分離部２に被処理物を供給する被処理物供給部３と、揮発性物質分離部２から排出される被処理物（以下、処理物とも記す）を回収する処理物回収部４とを備えている。
【００２０】
揮発性物質分離部２は、被処理物を加熱することによって被処理物から揮発性物質を揮発させると共に、揮発した状態の揮発性物質を後述する内部空間２Ｒの外側へ排出するように構成されている。具体的には、揮発性物質分離部２は、被処理物を供給する内部空間２Ｒを備えた本体部２ａと、該内部空間２Ｒに供給された被処理物を加熱する加熱手段２ｂと、内部空間２Ｒの外側に揮発性物質を排出する揮発性物質排出手段２ｃとを備えている。また、揮発性物質分離部２は、内部空間２Ｒ内へガスを供給するガス供給部２ｄを更に備えている。
【００２１】
本体部２ａは、筒状（具体的には、円筒状）の形状を有し、軸方向が長手となるように形成されている。また、本体部２ａは、軸方向の両端部に開口部２ｇ，２ｈを備えている。そして、本体部２ａは、該開口部２ｇ，２ｈから内部空間２Ｒへの被処理物の供給及び排出を行うように構成されている。具体的には、本体部２ａの軸方向の一端側の開口部２ｇは、内部空間２Ｒに被処理物を供給する本体供給部２ｇとなっている。一方、他端側の開口部２ｈは、内部空間２Ｒ内の被処理物を本体部２ａの外側に排出させる本体排出部２ｈとなっている。
【００２２】
本体部２ａは、水平面に対して軸線が傾斜するように配置されている。具体的には、本体部２ａは、本体供給部２ｇが本体排出部２ｈよりも上方側に位置するように配置されている。また、本体部２ａは、軸線を中心に回転可能に構成されている。具体的には、本体部２ａは、一端側に設置されて本体部２ａを回転させる本体回転手段Ｋと、他端側に設置されて本体部２ａを支持する本体支持手段Ｓとによって回転可能に構成されている。本体回転手段Ｋは、本体部２ａの外周面に周方向に沿って備えられた回転ギアＫ１と、該回転ギアＫ１と噛み合って本体部２ａを回転させる力を回転ギアＫ１に与える駆動機構Ｋ２とから構成されている。本体支持手段Ｓは、本体部２ａの外周面に周方向に沿って備えられた支持部Ｓ１と、該支持部Ｓ１を本体部２ａの軸線を中心に回転自在に支持する回転支持部Ｓ２とから構成されている。
【００２３】
加熱手段２ｂは、本体部２ａにおける本体排出部２ｈよりも本体供給部２ｇ側の領域に配置されている。具体的には、加熱手段２ｂは、本体供給部２ｇと本体排出部２ｈとの間における本体供給部２ｇ及び本体排出部２ｈから離間した領域に配置されている。本実施形態では、加熱手段２ｂは、前記回転ギアＫ１と前記支持部Ｓ１との間に配置されている。
【００２４】
また、加熱手段２ｂは、自身から熱を放出することで、内部空間２Ｒに熱を供給可能に構成されている。本実施形態では、加熱手段２ｂは、内部空間２Ｒの外側から内部空間２Ｒへ熱を供給可能に構成されている。具体的には、加熱手段２ｂは、本体部２ａの外側に配置され、本体部２ａの外周面を全周に亘って覆うように形成されている。そして、加熱手段２ｂは、自身から熱を放出することで、本体部２ａを介して、内部空間２Ｒ内の被処理物を加熱可能に構成されている。具体的には、加熱手段２ｂは、自身から熱を放出することで、本体部２ａを介して、内部空間２Ｒの温度を上昇させると共に、内部空間２Ｒの温度上昇によって内部空間２Ｒ内の被処理物を加熱するように構成されている。更に、加熱手段２ｂは、内部空間２Ｒを形成する本体部２ａの内周面上に配置された被処理物のうち、加熱手段２ｂに対応する領域２ＲＨに位置する被処理物に、本体部２ａを介して熱を供給することで、斯かる領域２ＲＨに位置する被処理物を加熱するように構成されている。つまり、加熱手段２ｂは、本体部２ａ及び内部空間２Ｒを介して、内部空間２Ｒ内の被処理物を間接的に加熱するように構成されている。加熱手段２ｂとしては、例えば、電熱器や熱風発生器等の外熱ジャケットなどを用いることができる。
【００２５】
また、加熱手段２ｂは、内部空間２Ｒにおける加熱手段２ｂに対応する領域（以下、高温領域とも記す）２ＲＨの温度と、該領域２ＲＨ内に位置する被処理物の温度とを所定の温度にまで上昇させるように構成されている。内部空間２Ｒにおける高温領域２ＲＨの温度、及び、高温領域２ＲＨに位置する被処理物の温度としては、揮発性物質が揮発する揮発温度以上に設定される。具体的には、揮発温度としては、被処理物に含有される揮発性物質の性質（揮発性）に応じて適宜設定することができ、内部空間２Ｒの気圧が大気圧と等しい場合には、揮発性物質の沸点よりも高い温度にすることが好ましい。例えば、高温領域２ＲＨの温度としては、２５０℃以上であることが好ましく、３００℃以上であることがより好ましい。また、高温領域２ＲＨの温度としては、５００℃以下であることが好ましく、４００℃以下であることがより好ましい。このような温度に設定することで、水銀や水銀化合物（塩化水銀（ＩＩ）など）等の揮発性物質を特に効果的に揮発させることができる。
【００２６】
また、加熱手段２ｂによって内部空間２Ｒに熱が供給されることで、内部空間２Ｒには温度差が生じることになる。具体的には、内部空間２Ｒにおける高温領域２ＲＨの温度は、高温領域２ＲＨよりも本体排出部２ｈ側の領域（以下、低温領域とも記す）２ＲＬの温度よりも高い温度になる。より詳しくは、高温領域２ＲＨの温度は、揮発性物質が揮発する揮発温度以上に維持されると共に、低温領域２ＲＬにおいては、揮発温度未満に低下する。これは、高温領域２ＲＨが加熱手段２ｂに対応する（重なる）領域であるため、加熱手段２ｂからの熱によって高温領域２ＲＨの温度が効果的に揮発温度以上に維持される。これに対し、低温領域２ＲＬは、加熱手段２ｂに対応する（重なる）領域ではないため、加熱手段２ｂからの熱が供給され難く、揮発温度を維持することが困難となる。このため、内部空間２Ｒの温度は、低温領域２ＲＬにおいて、高温領域２ＲＨよりも低下することになる。
【００２７】
揮発性物質排出手段２ｃは、内部空間２Ｒで揮発した揮発性物質を内部空間２Ｒの外側へ導く導通部２１ｃを備えている。また、揮発性物質排出手段２ｃは、揮発した状態の揮発性物質を内部空間２Ｒから吸引可能に構成されている。具体的には、揮発性物質排出手段２ｃは、導通部２１ｃに連結されて内部空間２Ｒから揮発した状態の揮発性物質を吸引する吸引手段（図示せず）を更に備えている。
【００２８】
また、揮発性物質排出手段２ｃ（具体的には、導通部２１ｃ）は、内部空間２Ｒにおける加熱手段２ｂに対応する領域（高温領域２ＲＨ）に配置されている。また、揮発性物質排出手段２ｃ（具体的には、導通部２１ｃ）は、内部空間２Ｒ内の被処理物よりも上方に配置されることが好ましい。内部空間２Ｒ内の被処理物よりも上方とは、内部空間２Ｒに供給された被処理物のうち、内部空間２Ｒ内を浮遊することなく本体供給部２ｇ側から本体排出部２ｈ側へ搬送されるものよりも上方であることをいう。
【００２９】
導通部２１ｃは、揮発した状態の揮発性物質を流通させる流路を備えている。具体的には、導通部２１ｃは、筒状（本実施形態では、一端部が閉鎖された筒状）の形状を有し、軸線に沿って長手となるように形成されている。そして、導通部２１ｃの内部には、軸線に沿って前記流路が形成されている。
【００３０】
導通部２１ｃは、本体部２ａの軸線に沿って内部空間２Ｒに配置されている。具体的には、導通部２１ｃは、一端側が内部空間２Ｒ内に位置すると共に、他端側が本体排出部２ｈから本体部２ａの外側に延出した状態となっている。更に、導通部２１ｃにおける内部空間２Ｒ内に位置する部分は、高温領域２ＲＨから低温領域２ＲＬに亘って配置されている。具体的には、導通部２１ｃにおける内部空間２Ｒ内に位置する部分は、本体部２ａの軸方向に沿って高温領域２ＲＨ及び低温領域２ＲＬの全域に亘って配置されている。
【００３１】
本実施形態では、導通部２１ｃは、揮発した状態の揮発性物質と被処理物とを分離するフィルタ材を用いて形成されている。該フィルタ材は、被処理物を通過させずに揮発した状態の揮発性物質のみを通過させる微細構造（目開き０．１〜２０μｍ程度の複数の細孔）を有するものが好ましい。本実施形態では、導通部２１ｃは、高温領域２ＲＨに位置する部分のみがフィルタ材を用いて形成されている。また、導通部２１ｃは、低温領域２ＲＬに位置する部分と本体部２ａから延出した部分とが前記細孔を有さない（揮発性物質及び被処理物を通過させない）材料を用いて形成されている。
【００３２】
つまり、本実施形態では、導通部２１ｃは、内部空間２Ｒにおける高温領域２ＲＨにおいて揮発した状態の揮発性物質と被処理物とを分離するように構成されている。これにより、内部空間２Ｒから揮発した状態の揮発性物質を吸引した際に、高温領域２ＲＨ内の揮発性物質が低温領域２ＲＬ側に吸い寄せられ、低温領域２ＲＬに流入してしまうのが防止される。フィルタ材としては、特に限定されるものではないが、内部空間２Ｒにおける高温領域２ＲＨの温度において耐熱性を有するものを用いることが好ましく、例えば、セラミックフィルター等を用いることができる。
【００３３】
ガス供給部２ｄは、本体供給部２ｇ側から内部空間２Ｒ内にガスを供給するように構成されている。具体的には、ガス供給部２ｄは、上述のように、揮発性物質排出手段２ｃによって内部空間２Ｒから揮発性物質が吸引される場合、内部空間２Ｒから吸い出されるガス量に応じた量のガスを内部空間２Ｒに供給するように構成されている。これにより、内部空間２Ｒが過度に減圧されてしまうのが防止される。
【００３４】
また、被処理物の一部が内部空間２Ｒ内で浮遊している場合（例えば、被処理物が微粉末である場合）には、内部空間２Ｒにガスが供給されることによって、浮遊している被処理物が本体供給部２ｇ側から本体排出部２ｈ側へ搬送される。
【００３５】
ガス供給部２ｄは、ガスが供給されるガス供給空間２ｄＲを内部に備え、本体供給部（開口部）２ｇを覆うように形成された箱部２ｅと、ガス供給空間２ｄＲにガスを供給するガス供給管２ｆとを備えている。箱部２ｅは、本体部２ａの外側から内部空間２Ｒに空気が流入するのを防止するように、本体部２ａの本体供給部２ｇ側にガスシール機構を介して連結されている。また、箱部２ｅは、本体部２ａが軸周りに回転自在となるように、本体供給部２ｇに連結されている。そして、箱部２ｅは、ガス供給空間２ｄＲが内部空間２Ｒに連通するように構成されている。一方、ガス供給管２ｆは、ガス供給空間２ｄＲに連通すると共にガスが流通する流路を備えている。これにより、ガス供給管２ｆからガス供給空間２ｄＲへガスを供給すると共に、ガス供給空間２ｄＲ内から内部空間２Ｒへガスを供給可能となる。内部空間２Ｒ内に供給されるガスとしては、特に限定されるものではなく、空気や不活性ガス（窒素やアルゴン）等を用いることができる。また、ガス供給管２ｆは、ガス供給管２ｆの前記流路にガスを供給するガス供給設備に連結されてもよく、ガスとして空気を用いる場合には、ガス供給管２ｆの前記流路が外部へ開放するように構成されてもよい。
【００３６】
被処理物供給部３は、被処理物を内部空間２Ｒ内へ搬送する被処理物搬送路３ａと、該被処理物搬送路３ａに被処理物を投入する被処理物投入部３ｂとを備えている。被処理物搬送路３ａは、筒状の形状を有し、一端側に被処理物投入部３ｂが連結されている。一方、被処理物搬送路３ａの他端側は、箱部２ｅ内に挿通されると共に本体供給部２ｇから内部空間２Ｒ内に挿入されている。これにより、被処理物投入部３ｂから投入された被処理物が被処理物搬送路３ａを介して本体部２ａへ搬送されて、内部空間２Ｒ内に供給可能となっている。
【００３７】
処理物回収部４は、本体排出部２ｈから排出される処理物を回収可能に構成されている。具体的には、処理物回収部４は、本体排出部（開口部）２ｈを覆うように形成されると共に、内部空間２Ｒと連通して本体部２ａから排出される処理物を回収する回収空間４Ｒを内部に備えている。また、処理物回収部４は、本体部２ａの外側から内部空間２Ｒに空気が流入するのを防止するように、本体部２ａの本体排出部２ｈ側にガスシール機構を介して連結されている。また、処理物回収部４は、本体部２ａが軸周りに回転自在となるように、本体部２ａの本体排出部２ｈ側に連結されている。本実施形態では、処理物回収部４は、回収空間４Ｒが下方に向かって開放するように形成されており、回収された処理物を下方に向かって排出するように構成されている。
【００３８】
なお、被処理物投入部３ｂや処理物回収部４には、本体部２ａの内部空間への空気の吸込みを防止するため、ダブルダンパ等のシール機構（図示せず）が設けられることが好ましい。
【００３９】
次に、本実施形態に係る揮発性物質の除去方法について、図２を参照しつつ説明する。まず初めに、加熱手段２ｂから内部空間２Ｒに（本体部２ａを介して）熱を供給し、内部空間２Ｒの温度を上昇させる。具体的には、加熱手段２ｂから内部空間２Ｒに熱を供給することで、高温領域２ＲＨの温度が揮発温度以上となるように内部空間２Ｒの温度を上昇させる。なお、内部空間２Ｒの温度は、高温領域２ＲＨにおいては、揮発温度以上に維持されている。
【００４０】
次に、被処理物投入部３ｂから被処理物搬送路３ａに被処理物Ｐ１を投入し、被処理物搬送路３ａを介して被処理物Ｐ１を内部空間２Ｒ内に供給する。内部空間２Ｒに供給された被処理物Ｐ１は、本体供給部２ｇ側から本体排出部２ｈ側に向かって（本体部２ａの軸方向に沿って）搬送される。具体的には、本体供給部２ｇから内部空間２Ｒに供給された被処理物Ｐ１は、内部空間２Ｒを形成する本体部２ａの内周面上に載置される。この状態において上述のように本体部２ａを回転させることで、被処理物Ｐ１が本体供給部２ｇ側（上方側）から本体排出部２ｈ側（下方側）へ向かって搬送される。
また、被処理物Ｐ１の一部が内部空間２Ｒを浮遊している場合（上述のようなダストが被処理物Ｐ１である場合）には、ガス供給部２ｄから供給されるガスによって浮遊する被処理物Ｐ１が本体供給部２ｇ側から本体排出部２ｈ側に向かって搬送される。
【００４１】
被処理物Ｐ１は、内部空間２Ｒ内を搬送されつつ加熱される。具体的には、被処理物Ｐ１は、内部空間２Ｒにおける本体排出部２ｈよりも本体供給部２ｇ側の領域において加熱手段２ｂからの熱によって加熱されて温度上昇する。より詳しくは、被処理物Ｐ１は、高温領域２ＲＨにおいて揮発温度以上に温度上昇すると共に、高温領域２ＲＨ内においては揮発温度以上に維持される。これにより、被処理物Ｐ１から揮発性物質が揮発する。
【００４２】
高温領域２ＲＨにおいて揮発した状態の揮発性物質を揮発性物質排出手段２ｃによって内部空間２Ｒの外側に排出する。具体的には、高温領域２ＲＨでは、揮発性物質が揮発した状態で維持されるため、導通部２１ｃにおける高温領域２ＲＨに配置された部分（フィルタ材を用いて形成された部分）から揮発した状態の揮発性物質が導通部２１ｃ内の流路に吸引される。そして、該流路を通じて内部空間２Ｒの外側に揮発性物質が排出される。この際、導通部２１ｃにおける高温領域２ＲＨに配置された部分がフィルタ材を用いて形成されていることで、被処理物Ｐ１の一部が内部空間２Ｒを浮遊しているような場合（例えば、被処理物Ｐ１が上記のダストのような微粒子状である場合）であっても、被処理物Ｐ１が導通部２１ｃの流路に流入しないため、被処理物Ｐ１と揮発性物質とが効果的に分離される。
【００４３】
被処理物Ｐ１は、内部空間２Ｒにおける高温領域２ＲＨを通過した後、低温領域２ＲＬを通過する。低温領域２ＲＬでは、内部空間２Ｒの温度が高温領域２ＲＨよりも低下（具体的には、揮発温度未満に低下）すると共に、被処理物Ｐ１の温度も低下（具体的には、揮発温度未満に低下）する。しかしながら、高温領域２ＲＨにおいて揮発した状態の揮発性物質が内部空間２Ｒの外側に排出されているため、低温領域２ＲＬに揮発した状態の揮発性物質が流入して凝集（固化、又は、液化）し、被処理物Ｐ１に大量に付着することがない。
【００４４】
低温領域２ＲＬを通過した被処理物Ｐ１は、本体排出部２ｈから処理物Ｐ２として排出される。排出された処理物Ｐ２は、処理物回収部４の回収空間４Ｒで回収され、下方に向かって排出される。回収された処理物は、例えば、セメント等の原料として利用したり、燃焼用の燃料として利用したりすることができる。
【００４５】
上記したように、本実施形態の除去装置１及び除去方法によれば、内部空間２Ｒにおける高温領域２ＲＨでは、該領域の温度及び該領域内に位置する被処理物Ｐ１の温度が揮発温度以上に上昇し、被処理物Ｐ１から揮発性物質が揮発すると共に、揮発した状態で維持される。そして、高温領域２ＲＨに配置された揮発性物質排出手段２ｃによって、揮発した状態の揮発性物質が高温領域２ＲＨから内部空間２Ｒの外側に排出される。
【００４６】
ここで、内部空間２Ｒの温度は、低温領域２ＲＬでは、該領域の温度及び該領域内に位置する被処理物Ｐ１の温度が揮発温度未満に低下する。しかしながら、上記のように、高温領域２ＲＨにおいて揮発性物質が内部空間２Ｒの外側に排出されているため、低温領域２ＲＬに揮発した状態で移動する揮発性物質の量が低減される。
【００４７】
これにより、揮発した状態の揮発性物質が低温領域２ＲＬにおいて凝縮（固化や液化）して被処理物Ｐ１に、再度付着する量が低減される。このため、被処理物Ｐ１からの揮発性物質の除去を効果的に行うことができ、本体排出部２ｈから排出された処理物Ｐ２中の揮発性物質の含有量を低減することができる。
【００４８】
斯かる構成によれば、被処理物Ｐ１から揮発した揮発性物質は、通常、被処理物Ｐ１よりも上方へ移動するため、被処理物Ｐ１よりも上方側に揮発性物質排出手段２ｃが配置されることで、揮発した揮発性物質をより効果的に除去することが可能となる。
【００４９】
ここで、「被処理物Ｐ１よりも上方側」とは、内部空間２Ｒに供給された被処理物Ｐ１のうち、内部空間２Ｒ内を浮遊することなく本体部の供給部側から排出部側に向かって搬送される被処理物Ｐ１よりも上方側であることを意味する。
【００５０】
本発明に係る揮発性物質の除去装置、及び、揮発性物質の除去方法は、上記実施形態に限定されるものではなく、本発明の要旨を逸脱しない範囲で種々の変更が可能である。また、上記した複数の実施形態の構成や方法等を任意に採用して組み合わせてもよく（１つの実施形態に係る構成や方法等を他の実施形態に係る構成や方法等に適用してもよく）、さらに、下記する各種の変更例に係る構成や方法等を任意に選択して、上記した実施形態に係る構成や方法等に採用してもよいことは勿論である。
【００５１】
例えば、上記実施形態では、本体部２ａが軸線を中心に回転可能に構成されているが、これに限定されるものではなく、本体部が回転しないように構成されてもよい。具体的には、本体部が回転しない構成において、内部空間２Ｒに設置された搬送手段（コンベア等）によって被処理物Ｐ１が本体供給部２ｇ側から本体排出部２ｈ側へ搬送されるようにしてもよい。
【００５２】
また、上記実施形態では、加熱手段２ｂが本体部２ａの外側に配置されているが、これに限定されるものではなく、加熱手段２ｂが内部空間２Ｒに配置されてもよい。具体的には、上述のように本体部が回転しない構成において、内部空間２Ｒにおける被処理物Ｐ１の搬送方向の一部の領域に加熱手段（バーナー等）を設置し、該加熱手段上を被処理物Ｐ１が搬送手段によって搬送されるようにしてもよい。斯かる場合、内部空間２Ｒにおいて、被処理物Ｐ１が下方から加熱手段によって加熱されると共に、加熱手段の上方に高温領域が形成される。
【００５３】
また、上記実施形態では、導通部２１ｃがフィルタ材を用いて形成されているが、これに限定されるものではなく、導通部における高温領域２ＲＨに配置された部分に一つ又は複数の開口部が形成され、該開口部から揮発した状態の揮発性物質を導通部の流路内に導入可能に構成されてもよい。このような導通部は、被処理物Ｐ１が内部空間２Ｒで浮遊しないような場合に用いることができる。この場合、被処理物Ｐ１が導通部の流路に吸引されることがないため、被処理物Ｐ１と揮発性物質とを導通部で分離する必要がない。このため、上記のような開口部を有する導通部を用いることができる。
【００５４】
また、上記実施形態では、揮発性物質排出手段２ｃによって、内部空間２Ｒから揮発した状態の揮発性物質が吸引されているが、これに限定されてものではなく、揮発した状態の揮発性物質が吸引されることなく導通部２１ｃの流路を通って内部空間２Ｒの外側に排出されるようにしてもよい。
【００５５】
また、上記実施形態では、導通部２１ｃにおける高温領域２ＲＨに位置する部分のみがフィルタ材を用いて形成されているが、これに限定されるものではなく、導通部における内部空間２Ｒに位置する部分の全体がフィルタ材を用いて形成されてもよい。
【実施例】
【００５６】
以下、実施例を挙げて本発明をさらに詳しく説明するが、本発明はこれらに限定されるものではない。
【００５７】
＜実施例＞
１．除去装置
図１及び２に示す除去装置１と同一の構成を有する除去装置（坂下製作所社製  傾斜回転炉）を用いた。該装置における本体部２ａの全長（本体供給部２ｇと本体排出部２ｈとの間の距離）は、２２００ｍｍであった。また、内部空間２Ｒの体積は、０．０８ｍ3であった。加熱手段２ｂとしては、電気炉を用い、本体供給部２ｇから４６０ｍｍの位置と１５８０ｍｍの位置との間の領域の内部空間２Ｒに熱を供給するように加熱手段２ｂが配置されている。
また、揮発性物質排出手段２ｃとしては、内部空間２Ｒに配置される部分の全体がフィルタ材（イソライト工業社製  製品名：イソフィル）を用いて筒状に形成された導通部２１ｃと、該導通部２１ｃに連結された吸引手段（武藤電気社製  製品名：ＭＡ−１／６）とを備えるものを用いた。そして、該導通部２１ｃの一端側が内部空間２Ｒにおける高温領域２ＲＨに位置すると共に、他端側が本体部２ａから延出した状態となるように、内部空間２Ｒ内に導通部２１ｃを配置し、導通部２１ｃの他端部に吸引手段を連結した。
【００５８】
２．被処理物
セメント製造設備の電気集塵器で回収されたダスト（水銀を含有するもの）を被処理物Ｐ１として用いた。
【００５９】
３．処理条件
（１）内部空間２Ｒの温度
高温領域２ＲＨの温度が４００℃となるように内部空間２Ｒの温度を設定した。そして、本体供給部２ｇと本体排出部２ｈとの間の内部空間２Ｒの温度を所定間隔で測定し、測定結果を図３に示した。温度の測定には、Ｋ型熱電対を用いた。
（２）搬送速度
内部空間２Ｒ内での被処理物の搬送速度を一定にすると共に、被処理物が高温領域２ＲＨに入ってから通過するまでの時間を１５分に設定した。
（３）吸引条件
揮発性物質排出手段２ｃによる揮発性物質の吸引条件を約６０Ｌ／分とした。
【００６０】
４．揮発性物質の除去
上記の条件において、４つの被処理物Ｐ１のそれぞれについて、各被処理物Ｐ１を内部空間２Ｒに供給して加熱し、被処理物Ｐ１から揮発性物質を揮発させると共に、揮発した揮発性物質を揮発性物質排出手段２ｃによって吸引し、内部空間２Ｒの外側に揮発性物質を排出した。そして、本体排出部２ｈから処理物Ｐ２を得た。
【００６１】
５．揮発性物質の含有量の測定
内部空間２Ｒに供給される前の各被処理物Ｐ１の水銀の含有量Ｃｓ（ｐｐｍ）を測定した。また、本体部２ａから排出された各処理物Ｐ２の水銀の含有量Ｃｘ（ｐｐｍ）を測定した。なお、水銀の含有量の測定は、日本インスツルメンツ社製  製品名：ＭＡ−２０００を用いて、加熱気化モードの条件で測定した。
【００６２】
６．揮発性物質の除去率
内部空間２Ｒに供給される前の各被処理物の水銀の含有量Ｃｓに対する各処理物Ｐ２の水銀の含有量Ｃｘの低下率を下記の（１）式を用いて算出し、水銀の除去率Ｗ（％）とした。除去率Ｗの算出結果については、図４に示す通りである。
Ｗ＝（Ｃｓ−Ｃｘ）／Ｃｓ×１００・・・（１）
【００６３】
＜比較例＞
１．被処理物の加熱処理
揮発性物質排出手段２ｃを内部空間２Ｒに配置しなかったこと以外は、実施例と同一の装置を用い、実施例と同一条件で被処理物の加熱を行った。
【００６４】
２．揮発性物質の含有量の測定
内部空間２Ｒに供給される前の被処理物Ｐ１の水銀の含有量Ｃｓ（ｐｐｍ）を測定した。また、内部空間２Ｒにおける高温領域２ＲＨ及び低温領域２ＲＬに位置する被処理物Ｐ１に対して、搬送方向に沿った複数箇所から試料を採取した。そして、各試料中の水銀の含有量Ｃｘ（ｐｐｍ）を測定した。なお、実施例と同一の装置及び条件によって水銀の含有量の測定を行った。
【００６５】
３．揮発性物質の除去率
実施例と同一の方法によって除去率Ｗを算出した。除去率Ｗの算出結果については、図４に示す通りである。
【００６６】
＜まとめ＞
図３をみると、内部空間２Ｒの温度は、高温領域２ＲＨでは、水銀の揮発温度（沸点）以上（約４００℃）に維持されているが、低温領域２ＲＬでは、揮発温度未満に急激に低下してしまうことが認められる。
【００６７】
そして、図４を見ると、比較例では、高温領域２ＲＨにおいて除去率Ｗが９０％以上となっているのに対し、低温領域２ＲＬでは、除去率Ｗが８０％未満に低下してしまうことが認められる。特に、高温領域２ＲＨから離れるに従って除去率Ｗが著しく低下することが認められる。これは、高温領域２ＲＨで揮発した揮発性物質が揮発した状態で低温領域２ＲＬに移動することにより、斯かる揮発性物質が凝集（固化、又は、液化）して被処理物に再付着したためである。
【００６８】
これに対し、実施例では、得られた処理物Ｐ２の水銀の除去率Ｗは、８０％以上となることが認められる。これは、高温領域２ＲＨに配置された揮発性物質排出手段２ｃ（具体的には、導通部２１ｃ）によって、揮発した状態の揮発性物質が内部空間２Ｒの外側に排出されるため、低温領域２ＲＬに揮発した状態で移動する揮発性物質の量が低減されたからである。これにより、低温領域２ＲＬにおいて揮発性物質が凝集して被処理物に再付着する量が低減され、得られた処理物Ｐ２における水銀の除去率Ｗが高くなっている。
【００６９】
以上のように、高温領域２ＲＨに揮発性物質排出手段２ｃを配置して、斯かる領域２ＲＨで揮発した状態の揮発性物質を内部空間２Ｒの外側に排出することで、低温領域２ＲＬにおいて揮発性物質が被処理物に再付着する量を低減することができるため、被処理物Ｐ１からの揮発性物質の除去を効果的に行うことができる。これにより、内部空間２Ｒから排出される処理物Ｐ２の水銀の含有量を低減することができる。
【符号の説明】
【００７０】
１…除去装置、２…揮発性物質分離部、２Ｒ…内部空間、２ＲＨ…高温領域、２ＲＬ…低温領域、２ａ…本体部、２ｂ…加熱手段、２ｃ…揮発性物質排出手段、２ｄ…ガス供給部、２ｆ…ガス供給管、２ｇ…本体供給部、２ｈ…本体排出部、３…被処理物供給部、３ａ…被処理物搬送路、３ｂ…被処理物投入部、４…処理物回収部、２１ｃ…導通部、Ｐ１…被処理物、Ｐ２…処理物
【図１】
0005958797.tif 000002
【図２】
0005958797.tif 000003
【図３】
0005958797.tif 000004